(57)【要約】【課題】  箱状の照明具や電気機器のような厚い（背丈の高い）内装品であっても収納できる内装品収納枠と、収納枠材を方形に連結するのに適する連結具を提供する。【解決手段】  内装品をセットできる方形枠状の収納空間を備えたボックスに、フレームが揺動可能に連結された内装品収納枠であり、ボックスは四本のボックス部材が共用連結具で連結された方形枠状であり、フレームは四本のフレーム部材が前記共用連結具で揺動可能に連結されて方形枠状であり、四本のボックス部材は方形枠状に形状保持されているが、四本のフレーム部材の夫々はボックスの上面周縁に被さる起立状態から、その上面周縁から外れてボックスの一辺が開口するまで外側（横）に開く開口状態まで個別に揺動可能であり、ボックスの内側に収納空間があり、この収納空間は内装品を収納できる高さと広さにしてある。【選択図】  図１
2015133436.tif 000002
【特許請求の範囲】
【請求項１】
内装品を額装状態にセットできる内装品収納枠において、
内装品をセットできる方形枠状の収納空間を備えたボックスに、フレームが揺動可能に連結された、
ことを特徴とする内装品収納枠。
【請求項２】
内装品を額装状態にセットできる内装品収納枠において、
内装品をセットできる方形枠状の収納空間を備えたボックスに、前記収納空間にセットされた内装品又は少なくとも内装品とその上に被せたカバーを押さえることのできるフレームが、共用連結具で揺動可能に連結され、
前記ボックスは四本のボックス部材が共用連結具で連結された方形枠状であり、
前記フレームは四本のフレーム部材が、ボックス部材に取付けられた共用連結具に揺動可能に連結され、
前記四本のボックス部材は方形枠状に形状保持されているが、四本のフレーム部材の夫々はボックスの上面周縁に被さる起立状態から、その上面周縁から外れてボックスの一辺が開口するまで外側（横）に開く開口状態まで個別に揺動可能であり、
前記ボックスの内側には四本のボックス部材で囲われた収納空間があり、この収納空間は内装品を収納できる高さと広さである、
ことを特徴とする内装品収納枠。
【請求項３】
内装品を額装状態にセットできる内装品収納枠において、
内装品をセットできる方形枠状の収納空間を備えたボックスに、前記収納空間にセットされた内装品又は少なくとも内装品とその上に被せたカバーを押さえることのできるフレームが、連結具で揺動可能に連結され、
前記ボックスは四本のボックス部材がボックス連結具で連結された方形枠状であり、
前記フレームは四本のフレーム部材が、前記ボックス連結具とは別体のフレーム連結具であり、ボックス部材に取付けられたフレーム連結具に揺動可能に嵌合され、
前記四本のボックス部材は方形枠状に形状保持されているが、四本のフレーム部材の夫々はボックスの上面周縁に被さる起立状態から、その上面周縁から外れてボックスの一辺が開口するまで外側（横）に開く開口状態まで個別に揺動可能であり、
前記ボックスの内側には四本のボックス部材で囲われた収納空間があり、この収納空間は内装品を収納できる高さと広さである、
ことを特徴とする内装品収納枠。
【請求項４】
請求項１から請求項３のいずれか１項に記載の内装品収納枠において、
ボックス部材は、縦板の内側に横片が横向きに突設され、縦板の外側に嵌合溝が形成されており、前記嵌合溝に共用連結具又はボックス連結具を嵌合して四本のボックス部材を連結して方形枠状のボックスを形成することができ、このボックス内に収納空間が形成される、
ことを特徴とする内装品収納枠。
【請求項５】
請求項１から請求項４のいずれか１項に記載の内装品収納枠において、
フレーム部材は側板と上板とがＬ字状（略Ｌ字状を含む：以下同じ）に連続しており、側板の内面には細長の嵌合溝が形成されており、その嵌合溝内に共用連結具又はボックス連結具のフレーム部材連結部を揺動可能に嵌合できる、
ことを特徴とする内装品収納枠。
【請求項６】
請求項１から請求項５のいずれか１項に記載の内装品収納枠において、
フレーム部材は揺動により起立するとボックスの上面周縁に被さって、収納空間内にセットされている内装品又はその上に被せてあるカバーの上面周縁を押さえることができ、外側に開くと前記上面周縁から外れて前記押さえが開放される、
ことを特徴とする内装品収納枠。
【請求項７】
請求項１から請求項６のいずれか１項に記載の内装品収納枠において、
ボックスに揺動可能に嵌合された方形枠状のフレームの内側にフレーム空間があり、
前記フレーム空間は四本のフレーム部材で囲われて形成され、内装品を収納可能な高さと広さである、
ことを特徴とする内装品収納枠。
【請求項８】
請求項１から請求項７のいずれか１項に記載の内装品収納枠において、
方形枠状のボックスの上面と、ボックスに揺動可能に取付けられたフレームとの間に内装品（メディアパネル）とカバーのいずれか一方又は双方を出し入れできる挿入空間を設け、少なくともいずれか一本のフレーム部材を側方に倒すと前記挿入空間内に内装品を出し入れできる、
ことを特徴とする内装品収納枠。
【請求項９】
四本のボックス部材を方形枠状に連結することができ、四本のフレーム部材をボックス部材に揺動可能に連結することができる連結具において、
前記連結具は、二つの連結部が平面視Ｌ字状に連続成型されており、夫々の連結部がボックス部材連結部とフレーム部材連結部を備えた共用連結具であり、
前記両ボックス部材連結部を二本のボックス部材に嵌合することにより、二本のボックス部材を「く」の字状（略く字状を含む）に連結することができ、四本のボックス部材の四つのコーナーを前記と同様に嵌合することにより方形枠状のボックスを形成することができ、
前記フレーム部材連結部にフレーム部材を揺動可能に嵌合することができ、四本のフレーム部材を前記と同様にフレーム部材連結部に揺動可能に嵌合することによりフレームを方形枠状に形成することもでき、
前記共用連結具のボックス部材連結部をボックス部材に取付け、ボックス部材に取付けられた共用連結具のフレーム部材連結部にフレーム部材を揺動可能に連結することにより、フレームをボックスに揺動可能に取付けることができる、
ことを特徴とする連結具。
【請求項１０】
請求項９記載の連結具において、
ボックス部材連結部が共用連結具の下側にＬ字状に、フレーム部材連結部が共用連結具の上側にＬ字状に設けられた、
ことを特徴とする連結具。
【請求項１１】
四本のフレーム部材をボックスに揺動可能に連結することができる連結具において、
連結具は直線状であり、ボックス部材に取付け可能なボックス部材連結部と、フレーム部材を揺動可能に嵌合可能な連結部がフレーム部材連結部を備えた、
ことを特徴とする連結具。
【発明の詳細な説明】
【技術分野】
【０００１】
本発明は、ＬＥＤを使用した照明具、照明式或いは非照明式の広告パネルや案内パネル、トランス、電気部品、ＬＥＤ駆動回路等の電気機器（電気部品を含む）や機械部品（機械部品を含む）といった各種形状、構造、サイズ、用途の内装品を額装状態に収納できる内装品収納枠と、それに使用される連結具に関する。
【背景技術】
【０００２】
内装品には各種形状、構造のものがある。一例として、角形ケース内にＬＥＤ、広告パネル、案内パネル、導光板、反射シート、拡散板等がセットされた薄い（数ｃｍ程度の）箱状の照明具、広告や道案内等が表示された薄いパネル（メディアパネル）等がある。
【０００３】
前記照明具はケースがむき出しのものが多く、強度、体裁等の面から、また、前記メディアパネルは薄いことから、いずれもそのままでは室内或いは屋外に設置するには不適である。前記電気機器や機械部品等も、そのままでは室内や屋外に設置しにくい。これら理由から、内装品を額装状態にセットできる内装品収納枠が求められている。内装品収納枠として、本件発明者が先に開発した特許文献１、２のものがある。
【先行技術文献】
【特許文献】
【０００４】
【特許文献１】特開平９−１６４０４８号公報
【特許文献１】特開２００５−３０４９８３号公報
【発明の概要】
【発明が解決しようとする課題】
【０００５】
特許文献１、２の内装品収納枠は四本の枠材を起立状態から横倒し状態まで揺動可能（開閉可能）に連結して方形枠状に組み立て、枠内に内装品を収納できる収納空間を設けてある。この内装品収納枠は一本以上の枠材を横に倒して方形枠を開口し、その開口部から収納空間に内装品を出し入れできるようにしてある。しかし、収納空間が枠内にあるため、収納空間の高さが低く、収納空間にセットできる内装品の種類、厚さ（高さ）寸法等に限度があった。収納空間を高くすれば厚い内装品をセットすることができるが、高くすると枠材が長くなるため枠材の揺動時に変形し易くなる（強度が弱くなる）ため、高くするにも限度があった。
【０００６】
本発明の目的は、収納空間を高くしても強度を確保でき、箱状の照明具や電気機器のような厚い（背丈の高い）内装品であっても収納でき、メディアパネルのような薄い内装品であっても収納でき、内装品の出し入れも容易な内装品収納枠を提供することにある。また、内装品収納枠材の連結に適する連結具を提供することにもある。
【課題を解決するための手段】
【０００７】
本発明の内装品収納枠は、内装品を額装状態にセットできる内装品収納枠において、  内装品をセットできる方形枠状の収納空間を備えたボックスに、フレームが揺動可能に連結されたものである。
【０００８】
本発明の内装品収納枠は、内装品を額装状態にセットできる内装品収納枠において、内装品をセットできる方形枠状の収納空間を備えたボックスに、前記収納空間にセットされた内装品又は少なくとも内装品とその上に被せたカバーを押さえることのできるフレームが、共用連結具で揺動可能に連結され、前記ボックスは四本のボックス部材が共用連結具で連結された方形枠状であり、前記フレームは四本のフレーム部材が、ボックス部材に取付けられた共用連結具に揺動可能に連結され、前記四本のボックス部材は方形枠状に形状保持されているが、四本のフレーム部材の夫々はボックスの上面周縁に被さる起立状態から、その上面周縁から外れてボックスの一辺が開口するまで外側（横）に開く開口状態まで個別に揺動可能であり、前記ボックスの内側には四本のボックス部材で囲われた収納空間があり、この収納空間は背丈の高い内装品を収納できる高さと広さのものである。
【０００９】
本発明の内装品収納枠は、内装品を額装状態にセットできる内装品収納枠において、内装品をセットできる方形枠状の収納空間を備えたボックスに、前記収納空間にセットされた内装品又は少なくとも内装品とその上に被せたカバーを押さえることのできるフレームが、連結具で揺動可能に連結され、前記ボックスは四本のボックス部材がボックス連結具で連結された方形枠状であり、前記フレームは四本のフレーム部材が、前記ボックス連結具とは別体のフレーム連結具であり、ボックス部材に取付けられたフレーム連結具に揺動可能に嵌合され、前記四本のボックス部材は方形枠状に形状保持されているが、四本のフレーム部材の夫々はボックスの上面周縁に被さる起立状態から、その上面周縁から外れてボックスの一辺が開口するまで外側（横）に開く開口状態まで個別に揺動可能であり、前記ボックスの内側には四本のボックス部材で囲われた収納空間があり、この収納空間は背丈の高い内装品を収納できる高さと広さのものである。
【００１０】
本発明の内装品収納枠は、前記いずれかの内装品収納枠において、ボックス部材は、縦板の内側に横片が横向きに突設され、縦板の外側に嵌合溝が形成されており、前記嵌合溝に共用連結具又はボックス連結具を嵌合して四本のボックス部材を連結して方形枠状のボックスを形成することができ、このボックス内に収納空間が形成されるようにしたものである。
【００１１】
本発明の内装品収納枠は、前記いずれかの内装品収納枠において、フレーム部材は側板と上板とがＬ字状（略Ｌ字状を含む：以下同じ）に連続しており、側板の内面には細長の嵌合溝が形成されており、その嵌合溝内に共用連結具又はボックス連結具のフレーム部材連結部を揺動可能に嵌合できるようにすることもできる。
【００１２】
本発明の内装品収納枠は、前記いずれかの内装品収納枠において、フレーム部材は揺動により起立するとボックスの上面周縁に被さって、収納空間内にセットされている内装品又はその上に被せてあるカバーの上面周縁を押さえることができ、外側に開くと前記上面周縁から外れて前記押さえが開放されるようにしてある。
【００１３】
本発明の内装品収納枠は、前記いずれかの内装品収納枠において、ボックスに揺動可能に嵌合された方形枠状のフレームの内側にフレーム空間があり、前記フレーム空間は四本のフレーム部材で囲われて形成され、内装品を収納可能な高さと広さにしてある。
【００１４】
本発明の内装品収納枠は、前記いずれかの内装品収納枠において、方形枠状のボックスの上面と、ボックスに揺動可能に取付けられたフレームとの間に内装品（メディアパネル）とカバーのいずれか一方又は双方を出し入れできる挿入空間を設け、少なくともいずれか一本のフレーム部材を側方に倒すと前記挿入空間内に内装品を出し入れできるようにしてある。
【００１５】
本発明の連結具は、四本のボックス部材を方形枠状に連結することができ、四本のフレーム部材をボックス部材に揺動可能に連結することができる連結具において、前記連結具は、二つの連結部が平面視Ｌ字状に連続成型されており、夫々の連結部がボックス部材連結部とフレーム部材連結部を備えた共用連結具であり、前記両ボックス部材連結部を二本のボックス部材に嵌合することにより、二本のボックス部材を「く」の字状（略く字状を含む：以下同じ）に連結することができ、四本のボックス部材の四つのコーナーを前記と同様に嵌合することにより方形枠状のボックスを形成することができ、前記フレーム部材連結部にフレーム部材を揺動可能に嵌合することができ、四本のフレーム部材を前記と同様にフレーム部材連結部に揺動可能に嵌合することによりフレームを方形枠状に形成することもでき、前記共用連結具のボックス部材連結部をボックス部材に取付け、ボックス部材に取付けられた共用連結具のフレーム部材連結部にフレーム部材を揺動可能に連結することにより、フレームをボックスに揺動可能に取付けることができるものである。
【００１６】
前記連結具において、ボックス部材連結部が共用連結具の下側にＬ字状に、フレーム部材連結部が共用連結具の上側にＬ字状に設けられたものである。
【００１７】
本発明の連結具は、四本のフレーム部材をボックスに揺動可能に連結することができる連結具において、連結具は直線状であり、ボックス部材に取付け可能なボックス部材連結部と、フレーム部材を揺動可能に嵌合可能な連結部がフレーム部材連結部を備えたものである。
【発明の効果】
【００１８】
本発明の内装品収納枠、連結具は次の効果を奏する。
は次の効果を奏する。
（１）揺動せずに方形枠状に形状保持されるボックスを設け、そのボックス内に内装品を収納できる収納空間を設けたので、収納空間を高くしてもボックスの強度が確保される。このため、厚い内装品をセットできるように高くした収納空間を形成することができる。
（２）四本のフレーム部材の夫々が、方形枠状のボックスの四辺に揺動可能に連結されているので、フレーム部材を倒すと収納空間内への内装品の出し入れが容易にできる。
（３）収納空間にセットした内装品の上面周縁を、その上からフレームで押さえることができるので、内装品がボックス内で位置ずれしにくくなり、ボックスから脱落することもない。
（４）フレームがフレーム空間を備えているので、そのフレーム空間に薄いメディアパネルを収納し、ボックスの収納空間に照明具や電気機器のような内装品を収納することができるので、ボックスの収納空間に収納した照明具でフレーム空間に収納したメディアパネルを照明したり、ボックスの収納空間に収納した音声機器で、フレーム空間に収納したメディアパネルの内容を説明したりすることもできる。
（５）フレーム部材がフレーム空間を備えている場合は、四本のフレーム部材でフレーム空間の四周が閉じられ、一本のフレーム部材を開くとそのフレーム部材で閉じられていたフレーム空間が開口するので、一本のフレーム部材を開閉するだけでフレーム空間に内装品を出し入れすることができる。
（６）共用連結具が一つで二本のボックス部材と二本のフレーム部材を連結できるので、共用連結具だけで方形枠状のボックスとフレームを形成することができる。
【図面の簡単な説明】
【００１９】
【図１】（ａ）は本発明の内装品収納枠の一例を示す斜視図、（ｂ）は（ａ）の一本のフレーム部材を半開きにした状態の斜視図。
【図２】本発明の内装品収納枠内に内装品を出し入れする場合の斜視説明図。
【図３】本発明の内装品収納枠内に内装品を出し入れする場合の断面説明図。
【図４】本発明の内装品収納枠の分解説明図。
【図５】（ａ）は本発明の内装品収納枠の部分斜視図、（ｂ）はフレーム部材と共用連結具とボックス部材の部分斜視図。
【図６】（ａ）は本発明の内装品収納枠のフレーム部材を閉じた状態の断面図、（ｂ）はフレーム部材を横に倒した状態の断面図。
【図７】フレーム部材と共用連結具とボックス部材の他例を示す部分斜視図。
【図８】（ａ）はボックス部材に共用連結具をセットする場合の説明図、（ｂ）はボックス部材の部分斜視図、（ｃ）は共用連結具の一例を示す斜視図。
【図９】本発明の内装品収納枠の他例を示す分解図。
【図１０】（ａ）は本発明の内装品収納枠のフレーム部材を閉じた状態の他例の断面図、（ｂ）はフレーム部材を横に倒した状態の他例の断面図。
【図１１】本発明の内装品収納枠の他例を示す斜視図。
【図１２】図１２の内装品収納枠に、メディアパネルを出し入れ状態を示す断面図。
【図１３】本発明の内装品収納枠の更なる他例を示す斜視図。
【図１４】本発明の内装品収納枠の構成部品の他例を示す説明図。
【発明を実施するための形態】
【００２０】
（実施形態１）
本発明の内装品収納枠は、各種形状、構造、サイズ、厚さ等の内装品を収納することができるが、この実施形態では、内装品が背丈の高い箱状の照明具の場合を一例として説明する。また、四本のボックス部材を連結するボックス連結部と、四本のフレーム部材をボックスに連結するフレーム連結部は、別体（別々）であってもよいが、この実施例では両者を一つにした共用連結具を一例として説明する。
【００２１】
図１（ａ）、（ｂ）に示す内装品収納枠１は、内装品Ａ（図２）を収納できるボックス２（図１（ａ）、（ｂ）〜図３）に、ボックス２の外側から上面まで被覆できるフレーム３が揺動可能に取付けられている。
【００２２】
［ボックス］
ボックス２は、四本のボックス部材４（図４）が四つの共用連結具５（図４、図５（ａ）、（ｂ））により連結されて、図２、図３のように、上面と底面が開口している方形枠状に形成されている。四本のボックス部材４は、二本ずつ（縦用と横用）長さは異なるが構造は同じであり、図５（ａ）、（ｂ）のように縦板４ａの内側に横板４ｂが突設され、縦板４ａの外面に嵌合溝４ｃが形成されている。横板４ｂ及び嵌合溝４ｃは縦板４ａの軸方向に細長に形成されている。嵌合溝４ｃは共用連結具５（図５）のボックス部材連結部５ａを嵌合可能な溝幅である。
【００２３】
前記縦板４ａの内面下部には下横片４ｄ（図３）が突設され、縦板４ａの内面上部には上横片４ｅ（図３）が突設されている。下横片４ｄは図６（ａ）、（ｂ）のように横板４ｂと平行に突設されて、横板４ｂとの間に底板Ｂを挟むことができるようにするものである。上横片４ｅは図６（ａ）、（ｂ）のようにカバーＣを支持するものである。前記縦板４ａの外面上部には突片４ｆ（図３）が横向きに突設されている。この突片４ｆは図３のように嵌合溝４ｃに嵌合された共用連結具５を位置決めし、脱落防止の機能を有する。
【００２４】
前記ボックス部材４を四本使用し、それらの嵌合溝４ｃに四つの共用連結具５を嵌合することにより方形枠状のボックス２（図２、図３）を組み立てることができる。四本のボックス部材４の内側には内装品Ａを収納可能な広さと高さ（深さ）の収納空間６（図２、図３）と、その収納空間６に収納された内装品Ａの周縁部を差し込み可能な差し込み空間７と、その差し込み空間７に差し込まれた周縁を支持できる方形の支持縁８（図２、図３）が形成される。前記収納空間６は前記四本のボックス部材４で囲まれて形成され、前記差し込み空間７は前記四本のボックス部材４の横板４ｂ（図３）の上に形成され、前記支持縁８は前記四本のボックス部材４の前記横板４ｂ（図３）が方形に連結されて形成される。
【００２５】
［フレーム］
フレーム３は四本のフレーム部材９（図１）が四つの共用連結具５（図５（ａ）、（ｂ））により揺動可能に連結されて方形枠状に形成されている。四本のフレーム部材９の長さは異なる（縦用と横用）が構造は同じであり、図５（ｂ）のように側板９ａと上板９ｂとが側面視Ｌ字状（略Ｌ字状を含む）に連続成型されている。側板９ａの内面には細長の弧状湾曲の嵌合溝９ｃ（図５（ｂ））が側板９ａの軸方向に沿って形成されており、その嵌合溝９ｃに、共用連結具５（図５（ｂ））の弧状突出のボックス部材連結部５ａ（図３）を揺動可能に嵌合できるようにしてある。四本のフレーム部材９は個別に揺動可能であり、図１（ａ）のように方形枠状に閉じている状態から、図３のように外側に開く状態まで揺動可能である。フレーム部材９は図１（ａ）のように方形枠状に閉じているときは、上板９ｂがボックス２の上面周縁の上に被さって、上板９ｂの先端内側に突設されている押し部９ｄ（図５（ｂ））がボックス２内に収納されている内装品Ａの上に被せたカバーＣを下に押さえており（図５（ａ））、外側に倒れる（開く）と、図３のように上板９ｂが跳ね上げられてボックス２の上から外れて前記押さえが開放されるようにしてある。
【００２６】
［共用連結具］
前記共用連結具５は図５（ｂ）に示すように、二つ（二本）の連結部５ｃ、５ｄが平面視Ｌ字状に成型されており、夫々の連結部５ｃ、５ｄが、ボックス部材連結部５ａ（図５（ｂ））とフレーム部材連結部５ｂ（図３（ｂ））を備えている。ボックス部材連結部５ａを二本のボックス部材４の嵌合溝４ｃ（図５（ｂ））内に嵌合することにより、二本のボックス部材４を「く」の字状に連結することができ、四本のボックス部材４の四つのコーナーを前記と同様に嵌合することにより方形枠状のボックス２（図２、図３）を組み立てることができるようにしてある。また、前記フレーム部材連結部５ｂを二本のフレーム部材９の嵌合溝９ｃ（図５（ｂ））内に嵌合することにより、その二本のフレーム部材９を「く」の字状に連結することができ、四本のフレーム部材９の四つのコーナーを前記と同様に揺動可能に嵌合することにより方形枠状のフレーム３（図２）を形成することができるようにしてある。
【００２７】
前記共用連結具５のフレーム部材連結部５ｂ（図５（ｂ））とフレーム部材９の嵌合溝９ｃ（図５（ｂ））は共に弧状にして、図３の矢印方向に互いに揺動回転可能に嵌合できるようにしてある。
【００２８】
前記ボックス部材４の嵌合溝４ｃ（図５（ｂ））内へのボックス部材連結部５ａの嵌合、前記フレーム部材９の嵌合溝９ｃ（図５（ｂ））内へのフレーム部材連結部５ｂの嵌合は、嵌合溝４ｃ、嵌合溝９ｃの横からの差し込み、或いは嵌合溝４ｃ、嵌合溝９ｃの前方或いは後方からの圧入により行うこともできる。
【００２９】
前記ボックス部材４、フレーム部材９はアルミ製が適するが、樹脂製とか、他の材質製とすることができる。前記共用連結具５は樹脂製が適するが、他の所望の材質製とすることができる。
【００３０】
（実施形態２）
本発明の内装品収納枠の他の例を図９、図１０（ａ）、（ｂ）に示す。これら図に示す内装品収納枠１は基本的構造において図１（ａ）、（ｂ）〜図８（ａ）、（ｂ）の内装品収納枠１と同じであり、異なるのは、ボックス部材４（図９）の内面に、図５（ｂ）のボックス部材４の下横片４ｄ、上横片４ｅに相当するものがないことである。
【００３１】
［組み立て例］
本発明の内装品収納枠は四本のボックス部材４と、四本のフレーム部材９と、四個の共用連結具５を使用して、次のように組み立てることができる。
（１）図３に示すように、二本のボックス部材４の嵌合溝４ｃに、一つの共用連結具５のボックス部材連結部５ａを嵌合して二本のボックス部材４を連結する。この嵌合は前記差し込み、圧入により行うことができる。
（２）前記（１）の連結を、他のボックス部材４の他のコーナーについても同様に行って方形枠状のボックス２（図２）を組み立てる。このボックス２の内側には収納空間６、差し込み空間７、支持縁８が形成される。
（３）前記ボックス２の組み立て後に、図５（ａ）に示すように、二本のフレーム部材９の円弧状の嵌合溝９ｃを、一つの共用連結具５の円弧状のフレーム部材連結部５ｂに嵌合して二本のフレーム部材４を連結する。この場合、円弧状の嵌合溝９ｃは共用連結具５の円弧状のフレーム部材連結部５ｂに図３のように摺動（揺動）可能に嵌合される。
（４）前記（１）の連結を他のフレーム部材９の他のコーナーについても同様に行ってフレーム３を方形枠状に形成する。この場合も前記（３）の場合と同様に揺動可能に嵌合させる。
（５）前記（１）〜（４）の組み立てにより内装品収納枠１が完成する。完成した内装品収納枠１は、フレーム部材９が図１（ａ）の起立状態から図３のように横方向へ倒れるまで揺動可能である。
【００３２】
［使用例］
（１）本発明の内装品収納枠１を使用するには、ボックス２の収納空間６内に内装品Ａを収納し、その内装品Ａの周縁部を収納空間６の外周の支持縁８に支持して（載せて）セットする。
（２）収納空間６内への内装品Ａのセットは、前記（２）のボックス完成後（フレーム取付け前）に行うことも、前記（４）の内装品収納枠１の完成後に行うこともできる。
（３）ボックス完成後（フレーム取付け前）に行う場合は、図６（ａ）のように、収納空間６内に底板Ｂをセットし、その上に内装品Ａをのせてセットすることもできる。その後に、ボックス２の四辺にフレーム部材９を揺動可能に取付ける。内装品Ａ（図２）が底付きの場合は、底板Ｂ（図６（ａ））は必要がない。
（４）内装品収納枠１の完成後に、収納空間６内へ内装品Ａをセットする場合は、少なくとも三辺のフレーム部材９を横に開いてボックス２の三辺の上面を開口し、その開口部からボックス２内の収納空間６内に内装品Ａを収納し、その内装品Ａの周縁を差し込み空間７内に差し込んで支持縁８（図２、図５（ａ））の上に支持させてセットする。この場合、四辺のフレーム部材９を横に開くとボックス２内に内装品Ａを差し込み易くなりセットし易くなる。
（５）前記内装品Ａの上にカバーＣをのせてから、横向きに倒してあるフレーム部材９を起立させて、フレーム部材９の上板９ｂをカバーＣの上に被せて、内装品ＡとカバーＣを押さえる。カバーＣは透明なアクリル板が適する。
（６）ボックス２の収納空間６内にセットされている内装品Ａを取り出すには、少なくとも三辺のフレーム部材９を横倒しにして、そのフレーム部材９による前記内装品ＡとカバーＣの押しを開放し、ボックス２の上面を開口する。
（７）開口されたボックス２の上面からボックス２内にセットされている内装品Ａを取り出す。
【００３３】
（実施形態３）
本発明の内装品収納枠の他の例を図１１、図１２に示す。これら図に示す内装品収納枠１は、四本のボックス部材４を共用連結具５で連結して方形枠状のボックス２を形成し、前記共用連結具５で四本のフレーム部材９を揺動可能に連結して方形枠状のフレーム３を形成することにおいては実施形態１、２と同じである。異なるのは方形枠状のボックス２の内側に収納空間（上空間）１１（図１２）を備え、その内部に反射板１２、導光板１３、拡散板１４を下から上に順に重合して収納でき、ＬＥＤを取付け可能としたこと、その上空間１１の上とフレーム部材９の上板９ｂとの間にフレーム空間１５を設けて、そのフレーム空間１５内に内装品（メディアパネル）ＡとカバーＣを出し入れできるようにしたことである。
【００３４】
前記フレーム空間１５（図１２）は四本のボックス部材４の上板９ｂの内面に形成される。図１２のフレーム部材９（図１２）は側板９ａを起立させると上板９ｂがボックス２の上面の上に被さって、その上面と上板９ｂの間に形成されるようにしてある。図１２では、ボックス２の収納空間６内に電源ボックス１６を収納してある。図１２では、少なくともいずれか一本のフレーム部材９を側方に倒すと前記フレーム空間１５（図１２）内に内装品（メディアパネル）ＡとカバーＣのいずれか一方又は双方を出し入れすることができる。
【００３５】
（実施形態４）
本発明の内装品収納枠の更に異なる例を図１３に示す。この図に示す内装品収納枠１も、四本のボックス部材４を共用連結具５で連結して方形枠状のボックス２を形成し、前記共用連結具５で四本のフレーム部材９を揺動可能に連結して方形枠状のフレーム３を形成することにおいては実施形態１、２と同じである。異なるのは方形枠状のボックス２の上面とフレーム部材９の上板９ａとの間に挿入空間１７を設け、その挿入空間１７内に内装品Ａ、例えばメディアパネルとカバーＣのいずれか一方又は双方を出し入れできるようにしたことである。図１３でもボックス２の収納空間６内に電源ボックス１６（図１２）を収納することもできる。図１３でも少なくともいずれか一本のフレーム部材９を側方に倒すと、ボックス２の上面とフレーム部材９の上板９ｂとの間に内装品（メディアパネル）ＡとカバーＣのいずれか一方又は双方を出し入れできる。
【００３６】
（実施形態５）
本発明の内装品収納枠は四本のボックス部材４を連結して方形枠状のボックス２を形成し、四本のフレーム部材９をボックス２に揺動可能に連結して方形枠状のフレーム３を形成することにおいて実施形態１、２と同じである。異なるのは、内装品収納枠１の連結に、別体のボックス連結具１８とフレーム連結具１９を使用し、このボックス連結具１８でボックス部材４を方形枠状に連結し、フレーム連結具１９をボックス２に取付け、そのフレーム連結具１９にフレーム部材９を揺動可能に嵌合することにより、フレーム部材９をボックス２の四辺に揺動可能に取付けたものである。
【００３７】
図１４のボックス連結具１８は汎用の樹脂製又は金属製のＬ字状であり、その二方向の連結部１８ａ、１８ｂを二本のボックス部材４の内面に形成された内側嵌合溝４ｇ内に嵌合してネジ止めすることにより、その二本のボックス部材４を「く」の字状に連結することができ、四本のボックス部材４の四つのコーナーを前記と同様に嵌合することにより方形枠状のボックス２（図２、図３）を組み立てることができるようにしてある。
【００３８】
図１４のフレーム連結具１９は樹脂製の細長の直線状であり、ボックス部材連結部１９ａとフレーム部材連結部１９ｂを備えている。ボックス部材連結部１９ａを四本のボックス部材４の嵌合溝４ｃ（図５（ｂ））内に嵌合し、そのフレーム連結具１９のフレーム部材連結部１９ｂに四本のフレーム部材９を個別に揺動可能に嵌合することにより、フレーム３（図２）を方形枠状に組み立てることができるようにしてある。
【００３９】
前記フレーム連結具１９のフレーム部材連結部１９ｂも弧状にしてあり、このフレーム部材連結部１９ｂをフレーム部材９の弧状の嵌合溝９ｃ（図５（ｂ））に、個別に揺動回転可能に嵌合できるようにしてある。
【００４０】
前記ボックス部材４の嵌合溝４ｃ内へのボックス部材連結部１９ａの嵌合、前記フレーム部材９の嵌合溝９ｃ内へのフレーム部材連結部１９ｂの嵌合は、嵌合溝４ｃ、嵌合溝９ｃの横からの差し込み、或いは嵌合溝４ｃ、嵌合溝９ｃの前方或いは後方からの圧入により行うこともできる。
【産業上の利用可能性】
【００４１】
本発明の内装品収納枠は屋外の壁面、公共施設の壁面、駅構内、空港内、乗り物内といった各種箇所に取り付けることができる。
【符号の説明】
【００４２】
１      内装品収納枠
２      ボックス
３      フレーム
４      ボックス部材
４ａ    （ボックス部材の）縦板
４ｂ    （ボックス部材の）横板
４ｃ    （ボックス部材の）嵌合溝
４ｄ    （ボックス部材の）下横片
４ｅ    （ボックス部材の）上横片
４ｆ    （ボックス部材の）突片
４ｇ    内側嵌合溝
５      共用連結具
５ａ    （共用連結具の）ボックス部材連結部
５ｂ    （共用連結具の）フレーム部材連結部
５ｃ    （共用連結具の）連結部
５ｄ    （共用連結具の）連結部
６      収納空間
７      差し込み空間
８      支持縁
９      フレーム部材
９ａ    （フレーム部材の）側板
９ｂ    （フレーム部材の）上板
９ｃ    （フレーム部材の）嵌合溝
９ｄ    （フレーム部材の）押し部
１１      収納空間（上空間）
１２      反射板
１３      導光板
１４      拡散板
１５      フレーム空間
１６      電源ボックス
１７      挿入空間
１８      ボックス連結具
１８ａ、１８ｂ  （ボックス連結具の）連結部
１９      フレーム連結具
１９ａ    （フレーム連結具の）ボックス部材連結部
１９ｂ    （フレーム連結具の）フレーム部材連結部
Ａ      内装品
Ｂ      底板
Ｃ      カバー
【図１】
2015133436.tif 000003
【図２】
2015133436.tif 000004
【図３】
2015133436.tif 000005
【図４】
2015133436.tif 000006
【図５】
2015133436.tif 000007
【図６】
2015133436.tif 000008
【図７】
2015133436.tif 000009
【図８】
2015133436.tif 000010
【図９】
2015133436.tif 000011
【図１０】
2015133436.tif 000012
【図１１】
2015133436.tif 000013
【図１２】
2015133436.tif 000014
【図１３】
2015133436.tif 000015
【図１４】
2015133436.tif 000016